(57)【要約】【課題】遊技板に対しての遊技釘の保持力を確保し易い遊技機を提供する。【解決手段】遊技板５０の前面５１が向く前方側に突出するようにして遊技釘１００が設けられ、遊技釘１００の軸部１０１には、所定の外径を有する突条部分が螺旋状に連続する螺旋部１１２と、螺旋部１１２より頭部１０２側に離間した複数箇所に設けられた２つの抜止部１１３とが設けられている。このため、螺旋部１１２によって遊技板５０の下穴５３内に進行した遊技釘１００は、複数の抜止部１１３が下穴５３内に進行した後には、螺旋部１１２のみによる保持力より大きな保持力を確保し易くすることができる。【選択図】  図３
2017012256.tif 000002
【特許請求の範囲】
【請求項１】
遊技球が前面側を流下する遊技板と、該遊技板の前面が向く前方側に突出するようにして設けられる遊技釘とを備えた遊技機において、
前記遊技釘は、前記前方側に突出する突端部に設けられる頭部と、該頭部の外径より細い外径で前記遊技板の前面より前記遊技板の裏面側に続く長さに形成された軸部とを備え、前記遊技板に予め形成される穴部に対して前記遊技板の前面側より前記軸部が挿入されて前記遊技板に保持されるものであり、
前記軸部には、所定の外径を有する突条部分が螺旋状に連続する螺旋部と、該螺旋部より前記頭部側に離間した複数箇所に設けられた複数の抜止部とが設けられていることを特徴とする遊技機。
【請求項２】
請求項１に記載の遊技機において、前記抜止部の少なくとも１つは、周方向側に離間した複数の抜止突起部を有していることを特徴とする遊技機。
【請求項３】
請求項２に記載の遊技機において、前記複数の抜止突起部を有する抜止部が、前記軸部に沿って離間した複数箇所に設けられ、１の抜止部を構成する複数の抜止突起部に対して他の抜止部を構成する複数の抜止突起部が前記軸部の周方向において偏倚して設けられていることを特徴とする遊技機。
【発明の詳細な説明】
【技術分野】
【０００１】
本発明は、パチンコ機等の遊技機に関する。
【背景技術】
【０００２】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定される（例えば、特許文献１参照）。
【先行技術文献】
【特許文献】
【０００３】
【特許文献１】特開２００８−１６１６３８号公報
【発明の概要】
【発明が解決しようとする課題】
【０００４】
従来の遊技機においては、遊技板から遊技釘が引き抜かれる方向に対しての保持力が不足する場合があるという問題点があった。
【０００５】
本発明は、上記例示した事情等に鑑みてなされたものであり、遊技板に対しての遊技釘の保持力を確保し易い遊技機を提供することを目的とするものである。
【課題を解決するための手段】
【０００６】
上記課題を解決すべく、請求項１記載の発明は、
遊技球が前面側を流下する遊技板と、該遊技板の前面が向く前方側に突出するようにして設けられる遊技釘とを備えた遊技機において、
前記遊技釘は、前記前方側に突出する突端部に設けられる頭部と、該頭部の外径より細い外径で前記遊技板の前面より前記遊技板の裏面側に続く長さに形成された軸部とを備え、前記遊技板に予め形成される穴部に対して前記遊技板の前面側より前記軸部が挿入されて前記遊技板に保持されるものであり、
前記軸部には、前記遊技板の穴部に保持可能な所定の外径を有する突条部分が螺旋状に連続する螺旋部と、該螺旋部より前記頭部側に離間した複数箇所に設けられた複数の抜止部とが設けられていることを特徴とする。
【発明の効果】
【０００７】
本発明によれば、遊技板に対しての遊技釘の保持力を確保し易い遊技機を提供することができる。
【図面の簡単な説明】
【０００８】
【図１】第１実施形態におけるパチンコ機の斜視図である。
【図２】遊技盤の正面図である。
【図３】（ａ）は、遊技釘の固定状態を示す縦断面図であり、（ｂ）は、遊技釘の先端側の形状を示した部分拡大図であり、（ｃ）は、図３（ｂ）のＡ−Ａ線における遊技釘の断面図である。
【図４】他の実施形態に係る遊技釘を説明するための図である。
【発明を実施するための形態】
【０００９】
以下、本発明の実施形態として、遊技機の一種であるパチンコ遊技機（以下、「パチンコ機」という）を参照して説明する。図１は、本発明の第１実施形態におけるパチンコ機１０の斜視図、図２はパチンコ機１０に備えられる遊技盤２０の正面図である。
【００１０】
パチンコ機１０には、図１に示すように、その中央部分に透明なガラス板１１が前後一対に配置された窓部１２が設けられ、その窓部１２を介して、遊技球が前面側を流下する遊技盤２０が遊技者から視認可能とされている。窓部１２の下側には、上下２つの球皿１３，１４が設けられ、この球皿１３，１４内に遊技球が貯留される。球皿１３，１４の右側には、発射ハンドル１５が設けられ、遊技者が発射ハンドル１５を操作すると、上側の球皿１３に貯留された遊技球が１球ずつ、遊技盤２０の前面側に向けて発射される。
【００１１】
遊技盤２０には、図２に示すように、略円形状に外周が区画された内側部分に遊技領域２１が形成されている。遊技領域２１の中央部および下側部分における左右両側には、センター装飾部材２２および複数のサイド装飾部材２３が設けられ、それら装飾部材２２，２３を避けた遊技領域２１の全域に多数の遊技釘１００が設けられている。多数の遊技釘１００が設けられた領域には、一般入賞口２４、始動入賞口２５，２６、大当たり時に開放される入賞口を開閉する可変入賞装置２７、スルーゲート２８等の遊技者にとって特典が付与される入球口が設けられ、それら入球口に遊技球が入球することで賞球が払い出されたり、大当たり等の抽選が行われたりする。遊技盤２０は、図２に示すように、その外形を形成する木製の遊技板５０を備え、遊技板５０の表面側から多数の遊技釘１００が打ち込まれて取り付けられている。
【００１２】
遊技板５０は、遊技釘１００を保持する板状の部材であり、切削加工による単一の木製板材若しくは木製の薄板を複数重ね合わせた合板によって形成されている。遊技板５０は、必ずしも木製とする必要はなく、ポリカーボネート樹脂、アクリル樹脂等の合成樹脂製の板材または射出成形品により構成しても良い。
【００１３】
遊技板５０には、装飾部材等が取り付けられる貫通穴が設けられ、上記した各種の入賞口２４〜２６、可変入賞装置２７、スルーゲート２８等を構成する各部材が取り付けられている。また、遊技板５０には、予め形成された下穴５３（図３（ｂ）参照）に対して、釘打ち装置によって多数の遊技釘１００が打ち込まれて固定されている。なお、必ずしも下穴５３を予め設けて遊技釘１００を遊技板５０に打ち込む必要はなく、表面が平滑な遊技板５０に対して遊技釘１００を打ち込んでも良いし、遊技板５０の表面にわずかな凹みを設け、その凹みに遊技釘１００を打ち込んでも良い。また、以下の説明において、下穴５３に対して遊技釘１００が打ち込まれ、打ち込み前に比べて遊技釘１００によって変形し、拡大された状態の穴部を釘穴５２と称す。
【００１４】
次に、遊技釘１００に関する構成について説明する。図３（ａ）は、遊技板５０と遊技釘１００との固定状態を示す縦断面図である。図３（ｂ）は、遊技釘１００の先端側の形状を示した部分拡大図であり、図３（ｃ）は、図３（ｂ）のＡ−Ａ線における遊技釘１００の断面図である。なお、図３においては、理解の容易のために、図３（ａ）には遊技球を実線により併せて示し、図３（ｂ）には下穴５３の深さ方向先端側における一部の外形形状を二点鎖線で示し、遊技釘１００の一部の縦断面の形状を斜線を付して示している。
【００１５】
遊技釘１００は、図３（ａ）に示すように、遊技板５０に対して一端側が保持され、遊技板５０の前面５１が向く前方側に突出するようにして遊技板５０に取り付けられている。この遊技釘１００が突出する側が遊技盤２０の前面側に設けられる遊技領域に相当し、この前面側を遊技球が流下する。
【００１６】
遊技釘１００は、図３（ａ）に示すように、細長く形成された軸部１０１と、軸部１０１の一端側であって遊技板５０の前面５１側に突出する先端側端部（突端部）にて軸部１０１より太く形成された頭部１０２とを有している。この遊技釘１００は、金属製であり、例えば、黄銅によって形成され、線材に対して転造などの圧造加工を施して形成されている。なお、遊技釘１００は、必ずしも圧造加工によって形成する必要はなく、これに代えて、又は、これに加えて切削加工等の他の加工を用いて形成しても良い。
【００１７】
遊技板５０とガラス板１１の間を流下する遊技球は、図３（ａ）に示すように、軸部１０１の一部分であって、抜止部１１３と頭部１０２との間にて断面形状が円形の一定形状に形成された当接部１１４に当接する。遊技板５０に対して遊技釘１００は、一定の傾斜を設けて取り付けられ、例えば、水平より５度上側を向くように傾斜させて取り付けられ、上方から遊技釘１００に当接した遊技球が遊技板５０側に案内され、遊技板５０の前面５１に沿って遊技球が落下し易く構成されている。
【００１８】
軸部１０１は、頭部１０２とは反対側となる端部に、先端部１１１と、螺旋部１１２と、抜止部１１３とを備えている。遊技釘１００は、軸部１０１における先端部１１１側から遊技板５０に打ち込まれ、螺旋部１１２と抜止部１１３とが遊技板５０の厚み内に位置して固定される。遊技板５０に固定された遊技釘１００は、遊技板５０の前面５１より頭部１０２と軸部１０１の一部分とが突出し、遊技釘１００が突出する突出量は、例えば、略１８．５ｍｍとされている。
【００１９】
遊技釘１００は、先端部１１１が位置する側が打込方向先端側（図３（ｂ）の右側）となり、頭部１０２に近い側が打込方向後端側となるようにして遊技板５０に打ち込み固定される。先端部１１１は、直径が先端側から次第に増大する略円形状の断面形状を有して先端側に位置する先端側尖形部１１１ａと、先端側尖形部１１１ａより打込方向後端側に形成された先端側直線部１１１ｂとを有している。
【００２０】
先端側尖形部１１１ａは、軸部１０１の軸方向に垂直な側面視（図３（ｂ）における紙面垂直方向視）において略三角形状であって、略円錐状に形成されている。先端側直線部１１１ｂは、軸部１０１の軸方向（図３（ｂ）の一点鎖線で示す軸部１０１の中心軸線が連続する方向）に沿って直径が略同一であって略円形の断面形状に形成されている。
【００２１】
先端側尖形部１１１ａの先端部分は、軸部１０１の軸方向に垂直な側面視（図３（ｂ）における紙面垂直方向視）において、略２５度から３０度の範囲内の角度となるように尖った形状に形成され、予め遊技板５０に設けられる下穴５３の奥底面５３ａに接触する設定とされている。なお、先端側尖形部１１１ａの先端部分は、側面視において、略９０度以下の角度に設定されることが良く、略６０度以下の角度に設定されることが好ましく、略４０度以下の角度に設定されることが好適である。
【００２２】
ここで、下穴５３は、遊技板５０の前面５１から直径が略同一であって略円形の断面形状を有する形状を主体として形成されている。下穴５３の直径は、当接部１１４の外形よりも略１０％から略２０％の範囲内で小さく、且つ、先端部１１１（先端側尖形部１１１ａ及び先端側直線部１１１ｂ）の最大外径よりも僅かに小さく形成され、例えば、略１．５ｍｍに設定されている。下穴５３の深さは、遊技釘１００の打込方向先端側の最先端から抜止部１１３が形成された打込方向後端側端部までの長さ（例えば、略９ｍｍ）より長く、且つ、遊技釘１００が正規の位置に打ち込まれるまでの打込長さ（例えば、略１５ｍｍ）より、一定以上（例えば、略２ｍｍ以上）短い長さ（例えば、略１０ｍｍ）に設定されている。
【００２３】
下穴５３の奥底面５３ａは、中心部分が最も深い穴形状となるように断面視略三角形状をなす略円錐状に形成されている。また、下穴５３の連続する軸方向に沿った中心軸に対しての奥底面５３ａの傾斜角度は、遊技釘１００の先端側尖形部１１１ａにおける中心軸に対しての傾斜角度より大きく設定されている。遊技板５０へ遊技釘１００が打ち込まれた場合には、下穴５３の奥底面５３ａに対して遊技釘１００の先端側尖形部１１１ａの先端が接触した後、下穴５３の奥底面５３ａの傾斜に沿って遊技釘１００の先端が下穴５３の中央側に案内され易い。このため、下穴５３の中心軸に遊技釘１００の中心軸が一致し易くなり、製造上の遊技釘１００の打ち込み位置のバラツキを少なくすることができる。
【００２４】
先端側直線部１１１ｂは、遊技釘１００の軸部１０１の連続する方向に沿って外形部分が略直線的に連続する略円柱状に形成されている。先端側直線部１１１ｂは、遊技釘１００が下穴５３の連続する方向に沿って軸部１０１が平行に進入するように位置決めするための部位であり、遊技釘１００の軸部１０１における基準直径（遊技釘１００の軸部１０１において表面が平滑な円柱状の部位の直径であり、当接部１１４の直径）の半分以上の長さに設定することが好ましく、当該直径以上の長さに設定することが好適である。また、先端側直線部１１１ｂは、次第に外形が僅かに大きくなる形状に設定することが好ましく、例えば、先端側直線部１１１ｂにおける打込方向先端側（先端側尖形部１１１ａに近い側）の端に比べて、打込方向後端側（螺旋部１１２に近い側）の端が略２％以上、外形が大きく設定されることが好ましく、略５％以上、外形が大きく設定されることが好適である。なお、先端側直線部１１１ｂは、必ずしも設ける必要はなく、先端側尖形部１１１ａに対して打込方向後端側に螺旋部１１２が連続する形状としても良い。また、先端部１１１の最大外径は、当接部１１４の外形よりも略５％から略１５％の範囲内で小さく、下穴５３の内径よりも僅かに大きく設定されるものであり、例えば、略１．７ｍｍに設定されている。
【００２５】
螺旋部１１２は、遊技釘１００が遊技板５０に打ち込まれる場合に遊技釘１００を回転させる部位であり、４条の螺旋状の突条部１１２ａがローレット加工により中心軸から離間する径方向側に突出して形成されたねじ状の外形形状に形成されている。遊技釘１００が下穴５３に打ち込まれた場合には、突条部１１２ａの連続する方向に沿って遊技釘１００が回転し、この回転によって遊技釘１００が下穴５３の連続する方向に沿って真直に進行し易くなる。これにより、遊技釘１００の打ち込み位置のバラツキを少なくすることができる。
【００２６】
突条部１１２ａは、図３（ｃ）に示すように、中心軸（図３（ｃ）の点Ｃ）に対して半径方向外側に向かって複数箇所において突出している。突条部１１２ａは、軸部１０１の中心軸を中心とする周方向において複数箇所に離間して設けられている。突条部１１２ａの突出先端部分は、図３（ｂ）に示すように、軸部１０１の軸方向に沿って中心軸を中心とした位置が周方向に異なる位置となるようにして連続し、突条部１１２ａが軸部１０１の軸方向に沿って螺旋状に連続する形状とされている。螺旋部１１２において、突条部１１２ａの先端が位置する外径（最大外径）の大きさは、軸部１０１の軸方向に沿って略同一に設定され、先端部１１１に比べて大きな外径に設定されている。
【００２７】
ここで、螺旋部１１２の長さは、当接部１１４の直径を比較して、同一の長さ以上に設定することが好ましく、当該直径の２倍以上の長さに設定することが好適である。また、螺旋部１１２は、次第に外形が僅かに大きくなる形状に設定することが好ましく、例えば、螺旋部１１２における打込方向先端側（先端部１１１に近い側）の端に比べて、打込方向後端側（抜止部１１３に近い側）の端が略５％以上に外形が大きく設定されることが好ましく、略１０％以上に外形が大きく設定されることが好適である。この螺旋部１１２における外形の形状変化の程度は、先端側直線部１１１ｂにおける外形の形状変化よりも大きな割合に設定することが遊技釘１００の打ち込み位置のバラツキを少なくする上で好ましい。なお、螺旋部１１２は、必ずしも設ける必要はなく、先端部１１１に対して抜止部１１３が連続する形状としても良い。
【００２８】
また、螺旋部１１２の突条部１１２ａにおける突出先端側部分の幅Ｌａは、当接部１１４の直径に対しては略５分の１の長さに設定されている。この突条部１１２ａの幅Ｌａは、当接部１１４の直径に対して略１０分の１から略４分の１の範囲内に設定することが好ましい。また、螺旋部１１２において突条部１１２ａが連続する方向は、軸部１０１の側面視（図３（ｂ）における紙面垂直方向視）において、軸部１０１の中心軸線に対して、例えば略４５度傾いた角度（傾斜角度Ｒａ）に設定されるものであり、傾斜角度Ｒａは、軸部１０１の中心軸線に対して略２５度から略６０度の範囲内の角度に設定されることが好ましい。
【００２９】
抜止部１１３は、螺旋部１１２に対して打込方向後端側に設けられ、螺旋部１１２の後に遊技板５０内に進入し、遊技釘１００の抜け方向側への移動を阻止する部位である。抜止部１１３は、軸部１０１の軸方向に沿って２箇所に離間して設けられ、それぞれが軸部１０１の中心軸を中心とする周方向に一定の断面形状を有し、その周方向に沿って環状に連続した形状をしている。
【００３０】
抜止部１１３のそれぞれは、軸部１０１の外周側に略三角形状に突出し、側面視においては打込方向後端側（頭部１０２に近い側）の端部が軸部１０１の中心軸に対して径方向に大きく突出している。抜止部１１３における頭部１０２に近い側の端部の断面形状（軸部１０１の中心軸を通る平面による縦断面の形状）は、突出先端部分が直角より鋭く尖った鋭角に形成されている（図３（ｂ）の斜線部参照）。遊技釘１００が遊技板５０に打ち込まれた後、抜止部１１３は、釘穴５２の内面に突き刺さるようにして引っ掛かり、遊技釘１００の抜け方向への移動が阻止される。
【００３１】
当接部１１４は、図３（ａ）に示すように、軸部１０１における頭部１０２に近い側の一定の区間に相当する部位であり、断面形状が円形で同一サイズの外周形状をした略円柱状の部位により構成されている。当接部１１４を一部分とする軸部１０１の一部は、断面形状が一定に形成されており、その外径は、例えば、直径が略１．８５ｍｍとされ、螺旋部１１２及び抜止部１１３における最大外径より細く設定されている。ここで、螺旋部１１２及び抜止部１１３における最大外径とは、軸部１０１の中心軸線から最も離れた突端部分を通過する仮想的な略円筒形状の直径に相当するものであり、各部分の最大部分における外径に相当し、例えば、螺旋部１１２の最大部分が１．９ｍｍ、抜止部１１３が１．９５ｍｍに設定されている。
【００３２】
なお、軸部１０１のうち、当接部１１４と抜止部１１３との間であって、遊技板５０の前面５１に相当する位置（例えば、先端部１１１側の先端から略１３ｍｍの区間）を含む一部分は、当接部１１４よりショットピーニングや絞り加工等による加工硬化によって当接部１１４より硬質に構成することが好ましく、これにより、遊技釘１００の折損に対しての寿命を長く確保し易くすることができる。
【００３３】
以上説明したパチンコ機１０によれば、以下の作用効果を奏する。
【００３４】
遊技板５０の前面５１が向く前方側に突出するようにして遊技釘１００が設けられ、遊技釘１００の軸部１０１には、所定の外径として当接部１１４より大きく突出した部位を形成する突条部分が螺旋状に連続する螺旋部１１２と、螺旋部１１２より頭部１０２側に離間した複数箇所に設けられた２つの抜止部１１３とが設けられている。このため、遊技釘１００は、複数の抜止部１１３が下穴５３内に進行することにより、螺旋部１１２のみによる保持力より大きな保持力を確保し易くすることができる。
【００３５】
また、抜止部１１３が螺旋部１１２より頭部１０２側に離間した複数箇所に設けられているので、螺旋部１１２が下穴５３内に進行し始める状況においては、挿入に必要な押圧力を少なくして遊技釘１００が回転しながら下穴５３内に進行する。よって、遊技釘１００の遊技板５０への打ち込み初期において遊技釘１００が勢い良く下穴５３内に進入し易く、急激な抵抗力の増大によって打ち込み初期に遊技釘１００が折損する事態を防止することができる。
【００３６】
また、打ち込みの際に螺旋部１１２の進行によって下穴５３の内面に変形や破損が生じたとしても、遊技釘１００が、下穴５３内に一定量以上進入すると、螺旋部１１２とは別形状をした抜止部１１３が下穴５３内に進入するので、遊技釘１００の保持力を高く確保することができる。この場合に、螺旋部１１２の進行によって下穴５３の内面の一部が拡大されるため、その拡大分、抜止部１１３の外形を大きく設定しても下穴５３内へ抜止部１１３が進行し易くなる。よって、抜止部１１３の外形を大きく設定して高い保持力を狙った形状にしても、遊技板５０の下穴５３や遊技釘１００の破損は抑制することができ、遊技釘１００の保持力を確保し易くすることができる。
【００３７】
また、抜止部１１３が螺旋部１１２より頭部１０２側に離間した複数箇所に設けられているので、螺旋部１１２によって下穴５３の内面の一部が削られる状況が生じても、軸方向において離間した複数箇所のうちいずれかの抜止部１１３が釘穴５２の内面に引っ掛かりさえすれば、遊技釘１００の保持力を一定以上に確保することができる。よって、多数の遊技釘１００を遊技板５０に打ち込んでも、極端に保持力の少ない遊技釘１００を備えたパチンコ機１０が製造される可能性を低く抑えることができる。
【００３８】
ここで、遊技板５０の材質が木製であると、下穴５３の内面の品質に個体差が生じ易く、部分的に脆い部位を備えるなど切損の生じ易い下穴５３が形成される場合がある。このように、低品質な下穴５３が一部に形成されても、遊技釘１００に螺旋部１１２と複数の抜止部１１３とが設けられているので、十分な保持力を確保することができる。
【００３９】
また、抜止部１１３における頭部１０２に近い側の端部の断面形状は、軸部１０１に沿った複数箇所の各々において、鋭角に形成されている。このため、遊技釘１００が引き抜かれる方向側に力が作用した場合に、抜止部１１３における頭部１０２に近い側の端部が遊技板５０の下穴５３に引っ掛かった状態となり易く、その引っ掛かりが保持力として作用し、高い保持力を確保し易くすることができる。
【００４０】
また、抜止部１１３は、頭部１０２に近い側の端部の断面形状が周方向側に連続する環状に形成されている。このため、抜止部１１３の剛性が高くなり、抜止部１１３に大きな力が作用しても、その変形及び破損を防止することができ、抜止部１１３の機能を十分に確保し易くすることができる。
【００４１】
次に、図４を主に参照して、第１実施形態とは別形状の遊技釘２００，３００を有する他の実施形態に係るパチンコ機について説明する。他の実施形態に係るパチンコ機は、第１実施形態に対して遊技釘２００，３００の形状のみが異なるものである。なお、遊技板５０に打ち込まれる遊技釘として、１つの実施形態に係る単一の種類の遊技釘を用いても良いし、２以上の実施形態に係る複数種類の遊技釘を用いても良い。
【００４２】
図４（ａ）は、第２実施形態に係る遊技釘２００を示す側面図であり、図４（ｂ）は、第３実施形態に係る遊技釘３００を説明するための側面図である。以下、第１実施形態における構成と同一の構成については同一の符号を付して説明を省略し、第１実施形態と異なる部分を説明する。
【００４３】
第２実施形態に係る遊技釘２００は、第１実施形態に係る遊技釘１００に対して、軸部２０１の形状が異なり、具体的には、先端部２１１の形状と、抜止部２１２の形状とが異なるものである。
【００４４】
遊技釘２００の先端部２１１の最先端は、図４（ａ）に示すように、側面視において尖った形状でなく円弧状に形成されている。このため、遊技釘２００が下穴５３に対して進行し、下穴５３の奥底面５３ａに接触した場合に、遊技釘２００の先端部２１１が奥底面５３ａに突き刺さりにくい。すなわち、下穴５３の奥底面５３ａの中心に向かって遊技釘２００の先端部２１１の中心が案内されてから奥底面５３ａより奥側に遊技釘２００が進行することとなる。よって、遊技釘２００が下穴５３の中央側に案内されながら進行し易くすることができる。なお、遊技釘２００の先端部２１１が円弧状に形成されるとは、側面視において一定の曲率半径を有する円弧によって先端部２１１が形成されても良いし、曲率が側面視において変化する曲線によって先端部２１１が形成されても良い。この場合において、先端部２１１の形状としては、例えば、遊技釘２００の当接部１１４の径に対して略５％から略２０％の範囲内の半径を有する球面の一部により先端部分を形成することが好ましく、略８％から略１５％の範囲内の半径を有する球面の一部により先端部分を形成することが好適であり、曲率が側面視において変化する場合には最先端の部分の曲率半径が上記各値の範囲内に設定されることが好ましい。また、遊技板５０が軟質である場合や脆い場合には、先端部２１１の円弧の曲率半径が大きく設定されることが好ましい。
【００４５】
遊技釘２００の抜止部２１２は、図４（ａ）に示すように、周方向側において一定の形状が連続するものでなく、周方向側に離間した複数の抜止突起部２１２ａにより構成されている。抜止突起部２１２ａは、周方向側に等間隔に、例えば、軸部２０１の中心軸に対して略１８０度回転した２箇所に設けられている。
【００４６】
抜止突起部２１２ａは、軸部２０１の軸方向に沿って離間した別の箇所にも、軸部２０１の中心軸に対して略１８０度回転した２箇所に設けられている。また、複数の抜止突起部２１２ａを有する抜止部２１２は、打込方向先端側（先端部２１１に近い側）の抜止部２１２に対して、打込方向後端側（先端部２１１から遠い側）の抜止部２１２に設けられる２つの抜止突起部２１２ａが軸部２０１の周方向に略９０度ずれた位置に、偏倚して設けられている。このため、軸方向において異なる位置に設けられた抜止部２１２を構成する複数の抜止突起部２１２ａが、周方向に、ずれて配置されるので、遊技板５０に打ち込まれた遊技釘２００が打込方向後端側（頭部１０２側）へ引き抜かれる場合の保持力を確保し易くすることができる。
【００４７】
すなわち、複数箇所の抜止部２１２において保持力を発揮するための釘穴５２の内面側への突出部分は、軸方向に沿った前後位置において周方向に略９０度ずれた位置となる。このため、抜止突起部２１２ａが遊技板５０の釘穴５２の内面に引っ掛かって遊技板５０によって支持される領域は、軸部２０１の軸方向において重なることがなく、遊技釘２００の引き抜き方向側への力に抵抗する部位を軸部２０１の軸方向に沿って長く確保することができる。よって、遊技釘２００の引き抜き方向側に力が作用しても遊技板５０の釘穴５２の内面が削れにくく、引き抜きに対して高い保持力を確保し易くすることができる。
【００４８】
なお、全ての抜止突起部２１２ａが軸方向に沿って重ならないように、抜止突起部２１２ａの周方向の幅と、軸方向に沿った前後位置におけるずれ量とを設定しても良く、軸方向に沿って３箇所以上に離間した箇所に抜止部２１２が設けられる場合には、隣りに位置する抜止部２１２を構成する抜止突起部２１２ａの少なくとも一部が軸方向に沿って重ならないように、抜止突起部２１２ａの周方向の幅と、軸方向に沿った前後位置におけるずれ量とを設定することが好ましく、軸方向に沿って完全に重ならないように設定することが好適である。
【００４９】
次に、第３実施形態について説明する。第３実施形態に係る遊技釘３００は、第１実施形態に係る遊技釘１００に対して、軸部３０１の形状が異なり、具体的には、先端部３１１の形状と、抜止部３１２の形状とが異なるものである。また、第３実施形態に係る遊技釘３００は、図４（ａ）及び図４（ｂ）に示すように、第２実施形態に係る遊技釘２００に比べて、抜止突起部３１２ａの形状は略同一であるものの、抜止突起部３１２ａの数が多く設けられ、また、これら抜止突起部３１２ａが軸方向に沿って螺旋状にねじれた位置に配置されている点において異なっている。
【００５０】
抜止突起部３１２ａが軸方向に沿った別々の位置に隣り合って配置されるねじれの方向は、螺旋部１１２のねじれ方向と同一方向に設定され、遊技釘３００が右回りして前に進む右ネジと同様のねじれ方向に設定されている。このため、遊技釘３００が下穴５３に打ち込まれた場合に、螺旋部１１２によって遊技釘３００が右回りしつつ進行した後、抜止部３１２が下穴５３内に進行した後にも、その回転を増長するようにして、遊技釘３００が右回りして進行する。よって、遊技釘３００が下穴５３の方向に沿って進行し易く、遊技板５０に対しての遊技釘３００の配置位置を一層正確にすることができる。
【００５１】
抜止突起部３１２ａが配置されるねじれの角度は、螺旋部１１２のねじれの角度と略同一の角度に設定されている。また、抜止突起部３１２ａが設けられる位置は、螺旋部１１２の突条部１１２ａが連続する仮想的な延長線（図４（ｂ）の二点鎖線）上に位置するように設定されている。詳細には、抜止突起部３１２ａのうち軸部３０１の中心軸から最も離れた部位に相当する打込方向後端側の端部が、螺旋部１１２の突条部１１２ａが連続する仮想的な延長線上に設定されている。このため、螺旋部１１２によって遊技釘２００が右回りしつつ進行した後、抜止部３１２が下穴５３内にスムースに進行し、遊技板５０に対しての遊技釘３００の配置位置を一層正確にすることができる。また、螺旋部１１２の突条部１１２ａによって遊技釘３００が下穴５３の一部を削りつつ進行した後、その削った部位を抜止部３１２（抜止突起部３１２ａ）が通過することとなるので、下穴５３の削れ量を少なくすることができる。よって、遊技釘３００の引き抜き方向の力に対しての保持力を発揮するための釘穴５２の内面の破損が遊技釘３００の打ち込みに際して少なく抑えることができ、遊技釘３００の引き抜き方向の力に対して高い保持力を確保し易くすることができる。
【００５２】
なお、本発明は、上記実施形態に限られることはなく、例えば、以下に記載するように変形して実施しても良い。この場合に、以下に記載する各構成を上記実施形態に対して適用しても良く、以下に記載する複数の構成を組み合わせて上記実施形態に対して適用しても良い。
【００５３】
上記各実施形態においては、抜止部１１３，２１２，３１２は、軸方向に沿った複数箇所において同一形状に形成されたが、軸方向に沿った複数箇所において、異なる形状をした抜止部が並んで配置されるものとしても良く、抜止部の数についても、２箇所に限らず、３箇所以上に設けられるものとしても良い。
【００５４】
また、上記各実施形態における抜止部１１３，２１２，３１２のいずれかの構成に代えて、又は、抜止部１１３，２１２，３１２のいずれかの構成に加えて、軸部に沿った螺旋状に形成され、螺旋部より軸部の中心軸線に対して前記軸部に垂直な側面視において大きく傾斜した角度にて連続する大傾斜螺旋部により抜止部の少なくとも一部を構成した遊技釘を遊技板に打ち込む構成としても良い。大傾斜螺旋部は、当接部１１４の直径より軸部の軸方向に沿った長さが短く設定されることが好ましく、当接部１１４の直径の半分以下に設定されることが好適であり、また、軸部の軸方向に沿った複数箇所に設けられ、周方向にずれて設けられていることが好ましい。
【００５５】
また、複数箇所に大傾斜螺旋部が設けられる場合には、１の大傾斜螺旋部の突条部に対して、当該突条部の連続する仮想延長線上に、軸部の軸方向に沿って離間した他の大傾斜螺旋部の突条部分が位置する構成とすることが好ましく、これにより、下穴５３内への遊技釘の進行をスムースにし、且つ、引き抜き方向に対しての保持力も確保し易くすることができる。また、複数箇所に大傾斜螺旋部が設けられる場合には、１の大傾斜螺旋部の突条部分における頭部側を向く面であって当該突条部分に対して周方向における一方側の面に対して、軸部の軸方向に沿って離間した他の大傾斜螺旋部における突条部の間の凹み部分が軸部の軸方向に沿って並んで位置する構成とすることが好ましく、これにより、遊技釘の引き抜き方向に対しての保持力を高く確保することができる。
【００５６】
上記第１実施形態においては、抜止部１１３における打込方向後端側（頭部１０２に近い側）の端部の縦断面形状は、鋭角に形成され、軸部１０１に沿った方向に対して軸部１０１の中心軸に近づく方向に外面形状が折れ曲がって当該中心軸に略直角に交差する方向に向かう外面形状（すなわち、頭部１０２側を向く外面を有する形状）に形成されていたが、他の形状に形成されても良い。すなわち、抜止部１１３における打込方向後端側（頭部１０２に近い側）の端部の縦断面形状として、略９０度より大きな鈍角に形成されても良い。この場合において、引っ掛かりによる保持力が一定以上となることが好ましく、軸部１０１に沿った方向に対して、頭部１０２に近づくに従って軸部１０１の中心軸に近づく方向に連続する外面（傾斜面）を有する形状であって、上記第１実施形態における角度が軸部１０１の中心軸に対して略垂直に交差する略９０度に設定されていたのに対し、略４５度以上に設定することがよく、略６０度以上に設定することが好ましく、略７５度以上に設定することが好適である。
【００５７】
上記第１実施形態において、円錐形状に対して先端部分の断面が弧状に又は円弧状に形成された先端部を有する形状としても良いし、略半球状の断面形状としても良い。また、上記第２及び第３実施形態において、先端部２１１，３１１の先端形状として、略三角形状の断面を有する円錐形状に形成されて尖った形状としても良い。
【００５８】
上記各実施形態において、遊技板５０に設けられる下穴５３は、断面円形としたが、必ずしも断面円形とする必要はなく、上記した引き抜き力となる断面形状として非円形の多角形あるいは星形など、他の形状で形成しても良い。また、下穴５３は、必ずしも奥底面５３ａより先側に遊技釘１００，２００，３００が進行する深さに形成する必要はなく、下穴５３の奥底面５３ａに遊技釘１００，２００，３００が到達しない程度に、下穴５３を深く形成しても良く、下穴５３が遊技板５０の裏面側に貫通形成されていても良い。
【００５９】
上記各実施形態において、螺旋部１１２は、外周面側に突出する２条のねじ形状により構成したが、必ずしも２条のねじ形状とする必要はなく、１条または３条以上としても良いし、上記螺旋部１１２に代えて、又は上記螺旋部１１２に加えて、断面形状が軸方向に沿ってねじれていない、網形状または縞状のローレット形状或いは軸方向に平行な突条が周方向に多数設けられることで周面に凹凸が設けられた断面形状を有する保持部を有する遊技釘としても良い。
【００６０】
本発明は、上記実施形態とは異なるタイプのパチンコ機等に実施しても良く、パチンコ機以外にも、アレンジボール型パチンコ、雀球等の各種遊技機として実施するようにしても良い。
【００６１】
以下、上記した実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【００６２】
＜特徴１０＞
遊技球が前面側を流下する遊技板（遊技板５０）と、該遊技板の前面が向く前方側に突出するようにして設けられる遊技釘（遊技釘１００，２００，３００）とを備えた遊技機（パチンコ機１０）において、
前記遊技釘は、前記前方側に突出する突端部に設けられる頭部（頭部１０２）と、該頭部の外径より細い外径で前記遊技板の前面より前記遊技板の裏面側に続く長さに形成された軸部（軸部１０１，２０１，３０１）とを備え、前記遊技板に予め形成される穴部（下穴５３）に対して前記遊技板の前面側より前記軸部が挿入されて前記遊技板に保持されるものであり、
前記軸部には、所定の外径を有する突条部分が螺旋状に連続する螺旋部（螺旋部１１２）と、該螺旋部より前記頭部側に離間した複数箇所に設けられた複数の抜止部（抜止部１１３，２１２，３１２）とが設けられていることを特徴とする遊技機。
【００６３】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定される（例えば、特開２００８−１６１６３８号公報参照）。
【００６４】
従来の遊技機においては、遊技板に遊技釘を打ち込む場合に保持力が不足する場合があり、遊技板に下穴を形成してから遊技釘を打ち込む場合においても保持力不足が生じ得るという問題点があった。
【００６５】
特徴１０記載の遊技機によれば、遊技板に対しての遊技釘の保持力を確保し易い遊技機を提供することができる。すなわち、遊技釘は、複数の抜止部が穴部に進行することにより、螺旋部のみによる保持力より大きな保持力を確保し易くすることができる。
【００６６】
また、抜止部が螺旋部より頭部側に離間した複数箇所に設けられているので、螺旋部が穴部内に進行し始める状況においては、その進行に必要な押圧力を少なくして遊技釘が回転しながら穴部内に進行する。よって、遊技釘の遊技板への打ち込み初期において遊技釘が勢い良く穴部内に進入し易く、急激な抵抗力の増大による打ち込み初期における遊技釘の折損を防止することができる。
【００６７】
また、打ち込みの際に螺旋部の進行によって穴部の内面に変形が生じたとしても、遊技釘が一定量以上穴部に進入すると、螺旋部とは別形状をした抜止部が穴部内に進入することとなり、これにより、遊技釘の保持力を高く保持することができる。この場合に、螺旋部の進行によって穴部の内面の一部が拡大されるため、その拡大分、抜止部の外形を大きく設定しても穴部内へ抜止部が進行し易くなる。よって、抜止部の外形を大きく設定して高い保持力を狙った形状にしても、遊技板の穴部や遊技釘の破損は抑制することができ、遊技釘の保持力を確保し易くすることができる。
【００６８】
また、抜止部が螺旋部より頭部側に離間した複数箇所に設けられているので、螺旋部によって穴部の内面の一部が削られる状況が生じても、軸方向において離間した複数箇所のうちいずれかの抜止部が穴部に引っ掛かりさえすれば遊技釘の保持力を一定以上に確保することができる。よって、多数の遊技釘を遊技板に打ち込んでも、極端に保持力の少ない遊技釘を備えた遊技機が製造される可能性を低く抑えることができる。特に、遊技板の材質が合成樹脂製でなく木製の場合には、穴部の内面の品質に個体差が生じ易く、部分的に脆い部位を備えるなど切損の生じ易い穴部が形成され易いため、螺旋部と複数の抜止部とが設けられる遊技釘を利用することが好ましい。
【００６９】
＜特徴１１＞
特徴１０に記載の遊技機において、前記抜止部における頭部側端部の断面形状は、前記軸部に沿った複数箇所の各々において、鋭角に形成されていることを特徴とする遊技機。
【００７０】
特徴１１に記載の遊技機によれば、遊技釘が引き抜かれる方向側に力が作用した場合に、抜止部における頭部側端部が遊技板の穴部に引っ掛かった状態となり易く、その引っ掛かり力が保持力として作用し、高い保持力を確保し易くすることができる。
【００７１】
＜特徴１２＞
特徴１１に記載の遊技機において、前記抜止部の少なくとも１つ（抜止部１１３）は、頭部側端部の断面形状が周方向側に連続する環状に形成されていることを特徴とする遊技機。
【００７２】
特徴１２に記載の遊技機によれば、抜止部の変形及び破損を防止することができ、抜止部の機能を確保し易くすることができる。
【００７３】
＜特徴１３＞
特徴１１又は１２に記載の遊技機において、前記抜止部の少なくとも１つ（抜止部２１２，３１２）は、周方向側に離間した複数の抜止突起部（抜止突起部２１２ａ，３１２ａ）を有していることを特徴とする遊技機。
【００７４】
特徴１３に記載の遊技機によれば、遊技釘の打ち込みに際して、抜止突起部が設けられていない部分によって穴部の内面が変形したり破損したりする状況を少なくすることができる。このため、遊技釘が引き抜かれる場合に抵抗力を発揮する部位を多く確保し易くすることができ、高い保持力を確保し易くすることができる。
【００７５】
＜特徴１４＞
特徴１３に記載の遊技機において、前記複数の抜止突起部を有する抜止部が、前記軸部に沿って離間した複数箇所に設けられ、１の抜止部を構成する複数の抜止突起部に対して他の抜止部を構成する複数の抜止突起部が前記軸部の周方向において偏倚して設けられていることを特徴とする遊技機。
【００７６】
特徴１４記載の遊技機によれば、軸方向において異なる位置に設けられた複数の抜止突起部が、周方向に、ずれて配置されるので、遊技釘の引き抜きに対しての保持力を確保し易くすることができる。
【００７７】
なお、特徴１０〜１４に記載のいずれか１つの特徴を他のいずれか又は複数の特徴に組み合わせて適用しても良い。以下には、上記した各特徴を適用し得る遊技機の基本構成を示す。
【００７８】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【産業上の利用可能性】
【００７９】
以上のように、この発明は、パチンコ機等の遊技機に適している。
【符号の説明】
【００８０】
１０…パチンコ機、５０…遊技板、５２…釘穴、５３…下穴、１００，２００，３００…遊技釘、１０１，２０１，３０１…軸部、１０２…頭部、１１２…螺旋部、１１３，２１２，３１２…抜止部、２１２ａ，３１２ａ…抜止突起部、１１４…当接部
【図１】
2017012256.tif 000003
【図２】
2017012256.tif 000004
【図３】
2017012256.tif 000005
【図４】
2017012256.tif 000006